(57)【要約】【課題】ビルや住宅等における鉄筋コンクリート構造物を構成する天井、階上部分に位置するベランダや廊下を施工するに当たり、型枠上にスラブ筋を正確に等間隔で、且つ迅速に配筋することができると共に、型枠上に目印を付ける必要のないスラブ筋の配筋装置を提供する。【解決手段】鋼棒の上面に同一ピッチでスラブ筋１の端部を載置すべく、該スラブ筋１の配筋ピッチに合わせて複数個の載置凹部２を設けて形成されたスラブ筋保持体３を４本、階上部分に位置する鉄筋コンクリート構造物を施工するために配設された型枠４上に、高さ調整体５を介して方形枠状に配設する。【選択図】図４
2007327193.tif 000002
【特許請求の範囲】
【請求項１】
鋼棒の上面に同一ピッチでスラブ筋の端部を載置すべく、該スラブ筋の配筋ピッチに合わせて複数個の載置凹部を設けて形成されたスラブ筋保持体を４本、階上部分に位置する鉄筋コンクリート構造物を施工するために配設された型枠上に、高さ調整体を介して方形枠状に配設したことを特徴とするスラブ筋の配筋装置。
【請求項２】
請求項１記載のスラブ筋の配筋装置において、方形枠状に配設された互いに対面する横筋用のスラブ筋保持体と、縦筋用のスラブ筋保持体のいずれかの保持体をスラブ筋の径の部分だけ高く配設したことを特徴とするスラブ筋の配筋装置。
【請求項３】
請求項１または請求項２に記載されたスラブ筋保持体において、複数個設けられた載置凹部のピッチ毎に区別し易いように、前記各スラブ筋保持体の少なくとも一部分に異なる色で色付けをしたスラブ筋の配筋装置。
【発明の詳細な説明】
【技術分野】
【０００１】
本発明は、ビルや住宅等における鉄筋コンクリート構造物を構成する天井、階上部分に位置するベランダや廊下を施工するに当たり、型枠上にスラブ筋を正確に等間隔で、且つ迅速に配筋することができるスラブ筋の配筋装置に関するものである。
【背景技術】
【０００２】
従来、ビルや住宅等における鉄筋コンクリート構造物を構成する天井、階上部分に位置するベランダや廊下を施工するに当たり、型枠上にスラブ筋を配筋する場合、配筋する位置にチョークや油性インキ等で印を付けて、該印を目印として配筋していた。
【０００３】
また、スラブ筋の配筋装置につき、過去の特許文献を遡及検索すると、下記の特許文献として示す特開２０００−２７４０７６号公報に開示されたものが公知である。
【０００４】
【特許文献１】特開２０００−２７４０７６号公報
【発明の開示】
【発明が解決しようとする課題】
【０００５】
前記従来の配筋する位置の型枠上にチョークや油性インキで印を付けて配筋する場合、いちいち施工現場で配筋位置を測定して位置決めする必要があるため、面倒であるという課題があると共に、コンクリート固化後、型枠を取外したときに、前記チョークや油性インキ等の目印跡がそのままコンクリート面に転写される場合が多く、コンクリート面からこれらを消去する作業をしなければならないという課題があった。
【０００６】
更に、前記特許文献１に記載のものは、大型コンクリート構造物についてだけしか考慮されておらず、小型、または中型のコンクリート構造物について使用すると、施工費が高価になるという課題があった。
【０００７】
本発明は、前記課題を解決すべくなされたものであって、極めて簡単、且つ迅速に、然も正確に等間隔のスラブ筋を型枠上に配筋することができると共に、従来のように、コンクリート固化後、型枠を取去っても、コンクリート表面に目印跡を残さないので、仕上がりが美麗なスラブ筋の配筋装置を提供しようとするものである。
【課題を解決するための手段】
【０００８】
本発明は、鋼棒の上面に等間隔でスラブ筋の端部を載置する複数個の載置凹部を設けて形成されたスラブ筋保持体を４本、階上部分に位置する鉄筋コンクリート構造物を施工するために配設された型枠上に、高さ調整体を介して方形枠状に配設するという手段を採用することにより、上記課題を解決した。
【発明の効果】
【０００９】
本発明スラブ筋の配筋装置によれば、施工現場におけるスラブ筋の配筋ピッチに合わせたスラブ筋保持体を予め準備しておき、該スラブ筋保持体を施工現場において、方形枠状に配設すると、直ちに配筋作業ができるので、工事の短縮化、およびコストダウンを図ることができる。
【００１０】
また、スラブ筋の配筋作業が、極めて簡単、且つ迅速に、然も正確に同一ピッチで、且つそのピッチが乱れることなく型枠上に配筋することができると共に、従来のように、コンクリート固化後、型枠を取去っても、コンクリート表面に目印跡を残さないので、仕上がりが美麗なコンクリート構造物を得ることができる。
【実施例】
【００１１】
本発明の実施例を図面に基づいて詳細に説明する。図１は、本発明スラブ筋の配筋装置に使用するスラブ筋保持体の斜視図、図２は、本発明スラブ筋の配筋装置を型枠上に配設してスラブ筋を配筋した状態を示す平面図、図３は同縦断面図、図４は、本発明スラブ筋の配筋装置を型枠上に配設してスラブ筋を配筋した状態を示す一部の斜視図である。
【００１２】
本発明スラブ筋の配筋装置は、鋼棒の上面に同一ピッチでスラブ筋１の端部を載置すべく、該スラブ筋の配筋ピッチに合わせて複数個の載置凹部２を設けて形成されたスラブ筋保持体３を４本、階上部分に位置する天井、ベランダや廊下等を鉄筋コンクリート構造物を施工するために配設された型枠４上に、高さ調整用のサイコロ状の複数個の高さ調整体５を介して方形枠状に配設して形成されている。
【００１３】
前記型枠４上に方形枠状に配設されたスラブ筋保持体３のうち、それぞれ対面するスラブ筋保持体３ａ・３ｂおよび３ｃ・３ｄに、縦１ａ、および該縦筋１ａと直角に交差する横筋１ｂとをそれぞれ架け渡すよう構成される。
【００１４】
前記縦筋１ａと横筋１ｂとを交差するに際し、該縦筋１ａと横筋１ｂのいずれかが、その径の分だけずれるようにして交差させる必要がある。そのために、前記各スラブ筋保持体３ａ〜３ｄのうち、縦筋用のスラブ筋保持体３ａ・３ｂと、横筋用のスラブ筋保持体３ｃ・３ｄのいずれかを型枠４上へ配設する際、前記高さ調整体５の高さをスラブ筋１の径の分だけ高く、あるいは低く調整する。
【００１５】
前記スラブ筋の配筋装置において、図２に示すように、各縦筋１ａの両端部を下段に位置するように、縦筋用のスラブ筋保持体３ａ・３ｂの各載置凹部２に載置し、然る後、前記各縦筋１ａ上に横筋１ｂが位置するように、各横筋１ｂの両端部を横筋用のスラブ筋保持体３ｃ・３ｄの各載置凹部２に載置する。そして、前記各縦筋１ａと各横筋１ｂの交差部を針金等の結束具６を用いて結束固定することにより、網状のスラブ配筋７が形成される。
【００１６】
なお、前記構成より成るスラブ筋保持体３に設けられた載置凹部２のピッチ毎に区別し易いように、前記各スラブ筋保持体３の少なくとも一部分に異なる色で色付けをしたスラブ筋保持体３を使用することにより、検査確認がスムーズに行くという利点を有する。
【００１７】
前記構成より成るスラブ筋の配筋装置を型枠４上に位置し、所定のスラブ筋を配筋した後、コンクリートを打設して、前記スラブ筋の配筋装置は埋め殺しとする。そして、前記打設されたコンクリートの固化後、型枠４を取去り、施工工事を完了する。
【図面の簡単な説明】
【００１８】
【図１】本発明スラブ筋の配筋装置に使用するスラブ筋保持体の斜視図である。
【図２】本発明スラブ筋の配筋装置を型枠上に配設してスラブ筋を配筋した状態を示す平面図である。
【図３】同縦断面図である。
【図４】本発明スラブ筋の配筋装置を型枠上に配設してスラブ筋を配筋した状態を示す一部の斜視図である。
【符号の説明】
【００１９】
１  スラブ筋
２  載置凹部
３  スラブ筋保持体
４  型枠
５  高さ調整体
【図１】
2007327193.tif 000003
【図２】
2007327193.tif 000004
【図３】
2007327193.tif 000005
【図４】
2007327193.tif 000006